(57)【要約】【課題】主要被写体位置の情報を有効に活用することができるデジタルカメラを提供する。【解決手段】デジタルカメラ２は、想定主要被写体範囲を示す補助フレームをＬＣＤ１３に表示する。ＣＰＵ３３は、想定主要被写体範囲に対応した撮影画像上の主要被写体位置が記録されたデータテーブルに基づいて、撮影した画像の主要被写体位置を算出する。ＣＰＵ３３により算出された主要被写体位置の情報は、撮影した画像データ、およびこの画像データに関するタグ情報を含む画像ファイルに付加され、メモリカード１８に記録される。【選択図】        図８
2004193977.tif 000002
【特許請求の範囲】
【請求項１】
被写体のフレーミング用に取り込まれたスルー画像を表示する電子ビューファインダと、
想定主要被写体範囲を示す補助フレームを、前記電子ビューファインダに表示する表示手段と、
前記想定主要被写体範囲に対応した撮影画像上の主要被写体位置が記録されたデータテーブルに基づいて、主要被写体位置を算出する制御手段とを有するデジタルカメラにおいて、
算出された主要被写体位置の情報と、撮影した画像データ、およびこの画像データに関する情報を含む画像ファイルとを関連付けて記録する記憶手段を備えたことを特徴とするデジタルカメラ。
【請求項２】
前記制御手段は、異なるシーンを撮影する複数の撮影モードの選択に応じて、前記補助フレームおよび主要被写体位置の情報を自動的に変更することを特徴とする請求項１に記載のデジタルカメラ。
【請求項３】
算出された主要被写体位置を不動点としてズーミングを行うズーム機能を備えたことを特徴とする請求項１または２に記載のデジタルカメラ。
【発明の詳細な説明】
【０００１】
【発明の属する技術分野】
本発明は、電子ビューファインダに想定主要被写体範囲を示す補助フレームを表示するデジタルカメラに関する。
【０００２】
【従来の技術】
ＣＣＤイメージセンサなどの撮像素子で撮像した被写体画像をデジタルの画像データに変換し、内蔵メモリやメモリカードなどの記憶媒体に保存するデジタルカメラが普及している。現在市販されているデジタルカメラには、電子ビューファインダを構成する液晶表示装置の表示画面上に、想定主要被写体範囲を示す補助フレームを表示する、いわゆるベストフレーミング機能を備えたものがある（特許文献１および２参照）。
【０００３】
ベストフレーミング機能を備えたデジタルカメラでは、画像をプリントする際などに有用な主要被写体位置を間接的に示すものとして、フレーミングの情報を活用することができるが、特許文献１および２には、これを活用する方法が記載されておらず、単に補助フレームの表示に関する内容が記載されているに過ぎない。
【０００４】
上記のような不備を補うものとしては、撮影画像上の主要被写体位置を被写体の測距データから検出し、検出した主要被写体位置と画像ファイルとを関連付けて記録するもの（特許文献３参照）や、サーモグラフィーなどを用いた生物検出部の検出結果と被写体の合焦データとから主要被写体位置を検出し、フイルム上の磁気記憶媒体に記録するもの（特許文献４参照）、ユーザがタッチパネルを介して主要被写体位置を直接入力することが可能なもの（特許文献５参照）がある。
【０００５】
【特許文献１】
特開２０００−２７０２４２号公報
【特許文献２】
特開２００１−２１１３６２号公報
【特許文献３】
特開平５−７２６４８号公報
【特許文献４】
特開平６−７５３０５号公報
【特許文献５】
特開平１１−１３６５６８号公報
【０００６】
【発明が解決しようとする課題】
しかしながら、特許文献３および４に記載されるデジタルカメラには、主要被写体位置の検出精度に難点があり、誤認識をする可能性が高いため、必ずしもユーザの意図に沿った主要被写体位置が検出されるとは限らない。また、特許文献５に記載されるデジタルカメラは、ユーザの意図は確実に反映されるものの、操作ステップが増加するために返って煩雑になる。
【０００７】
一方、ズーム機能を搭載したデジタルカメラでは、通常は撮影範囲の中心を不動点として被写体のズーミングが行われる。このため、ベストフレーミング機能が作動しているときに被写体のズーミングを行うと、補助フレームの中にある画像が移動してしまう場合があって扱い難かった。
【０００８】
本発明は、主要被写体位置の情報を有効に活用することができるデジタルカメラを提供することを目的とする。
【０００９】
【課題を解決するための手段】
上記目的を達成するために、本発明は、被写体のフレーミング用に取り込まれたスルー画像を表示する電子ビューファインダと、想定主要被写体範囲を示す補助フレームを、前記電子ビューファインダに表示する表示手段と、前記想定主要被写体範囲に対応した撮影画像上の主要被写体位置が記録されたデータテーブルに基づいて、主要被写体位置を算出する制御手段とを有するデジタルカメラにおいて、算出された主要被写体位置の情報と、撮影した画像データ、およびこの画像データに関する情報を含む画像ファイルとを関連付けて記録する記憶手段を備えたことを特徴とする。
【００１０】
なお、前記制御手段は、異なるシーンを撮影する複数の撮影モードの選択に応じて、前記補助フレームおよび主要被写体位置の情報を自動的に変更することが好ましい。また、算出された主要被写体位置を不動点としてズーミングを行うズーム機能を備えることが好ましい。
【００１１】
【発明の実施の形態】
図１および図２において、デジタルカメラ２の正面には、矢印方向にスライド操作自在なレンズバリア１０が設けられている。このレンズバリア１０を図１に示す開放位置にスライドさせることにより、撮像レンズ１１、ストロボ発光部１２が露呈して撮影可能な状態となる。
【００１２】
撮像レンズ１１の背後には、ＣＣＤ４０（図３参照）が配置されている。ＣＣＤ４０からの撮像信号は、Ａ／Ｄ変換器４４（図３参照）により、デジタルの画像データに変換される。この画像データは、デジタルカメラ２の背面に設けられた液晶表示装置（ＬＣＤ）１３で、いわゆるスルー画像として表示される。また、デジタルカメラ２には光学ファインダを構成するファインダ対物窓１４およびファインダ接眼窓１５が設けられており、これらを通して被写体画像のフレーミングが行われる。
【００１３】
デジタルカメラ２の上面には、レリーズボタン１６が設けられている。このレリーズボタン１６は、２段階押しのスイッチとなっており、ＬＣＤ１３または光学ファインダによるフレーミングの後にレリーズボタン１６を軽く押圧すると、露光調整、撮像レンズ１１の焦点調整などの各種撮影準備処理が施される。撮影準備処理が施された撮像信号は、レリーズボタン１６を離すまでデータロックされる。そして、この状態でレリーズボタン１６をもう１度強く押圧すると、撮影準備処理が施された１画面分の撮像信号が画像データに変換された後、メモリカードスロット１７に着脱自在に装填されるメモリカード１８や内蔵メモリ４８（図３参照）などの記憶媒体に保存される。
【００１４】
デジタルカメラ２の背面には、ＬＣＤ１３のほかに、電源のオン／オフ切替えを行う電源ボタン１９、撮像レンズ１１のズームレンズをワイド側、テレ側に変倍するズーム操作ボタン２０、各種モードを選択するモード切替えスイッチ２１、およびＬＣＤ１３に表示されるメニュー画面内でカーソルを移動させるカーソル操作板２２からなる操作部２３（１点鎖線で囲む部分）が設けられている。
【００１５】
デジタルカメラ２では、撮影を行う撮影モード、撮影した画像をＬＣＤ１３に表示する再生モード、および各種設定を行うセットアップモードなどが選択可能となっており、モード切替えスイッチ２１をスライド操作させることで、これらのモードの切替えが行われる。また、撮影モードには、風景、夜景、人物などの各種撮影モードが設けられている。
【００１６】
デジタルカメラ２の電気的構成を示す図３において、撮像レンズ１１には、ズームモータ３０と、アイリスモータ３１と、フォーカスモータ３２とが接続されている。これらのモータ３０〜３２は、ＣＰＵ３３に接続された第１〜第３モータドライバ３４〜３６を介して駆動制御され、レリーズボタン１６の１回目の押圧操作により撮影準備処理を行う。ズームモータ３０は、ズームレンズをワイド側、あるいはテレ側に動作させ、撮像レンズ１１のズーミングを行う。また、アイリスモータ３１およびフォーカスモータ３２は、図示しないアイリスおよびフォーカスレンズを動作させ、撮影条件が最適となるように撮像レンズ１１の露光調整、焦点調整を行う。
【００１７】
撮像レンズ１１の背後には、レリーズボタン１６の２回目の押圧操作により、第４モータドライバ３７およびシャッタモータ３８を介して開閉動作されるメカシャッタ３９が配置されている。このメカシャッタ３９の背後には、撮像レンズ１１を透過した被写体光が撮像されるＣＣＤ４０が配置されている。第４モータドライバ３７およびＣＣＤ４０には、ＣＰＵ３３によって制御されるタイミングジェネレータ４１が接続され、このタイミングジェネレータ４１からタイミング信号（クロックパルス）が入力される。ＣＣＤ４０から出力された撮像信号は、相関二重サンプリング回路（ＣＤＳ）４２に入力され、ＣＣＤ４０の各セルの蓄積電荷量に正確に対応したＲ、Ｇ、Ｂの画像データとして出力される。ＣＤＳ４２から出力された画像データは、増幅器（ＡＭＰ）４３で増幅され、Ａ／Ｄ変換器４４でデジタルデータに変換される。
【００１８】
画像入力コントローラ４５は、データバス４６を介してＣＰＵ３３に接続され、ＣＰＵ３３の制御命令に応じてＣＣＤ４０、ＣＤＳ４２、ＡＭＰ４３、およびＡ／Ｄ変換器４４を制御する。Ａ／Ｄ変換器４４から出力された画像データは、ＬＣＤドライバ４７を介してＬＣＤ１３に表示される。または、図示しない光学ファインダドライバを介して光学ファインダに表示される。あるいは、内蔵メモリ４８に保存される。内蔵メモリ４８に保存された画像データは、メディアコントローラ４９を介してメモリカード１８に記録される。
【００１９】
画像信号処理回路５０は、階調変換、色変換、ハイパートーン処理、ハイパーシャープネス処理などの各種画像処理を画像データに施す。圧縮処理回路５１は、デジタルカメラ２をパーソナルコンピュータなどの外部機器に接続して、撮像された画像データを転送する際に、画像データを所定のファイル形式（例えばＪＰＥＧ形式）に圧縮する。
【００２０】
データバス４６には、撮像レンズ１１の焦点調整が撮影に適切か否かを検出するＡＦ検出回路５２と、撮像レンズ１１の露光調整およびホワイトバランス補正が撮影に適切か否かを検出するＡＥ／ＡＷＢ検出回路５３とが接続されている。
これらの検出回路５２、５３は、レリーズボタン１６の１回目の押圧操作で撮影準備処理が行われた後、データバス４６を介してＣＰＵ３３に検出結果を送信する。
【００２１】
内蔵メモリ４８には、各種撮影モードに対応した補助フレームを表す画像データが記憶されている。この補助フレームの表示の有無は、操作部２３により選択可能となっている。操作部２３により補助フレームの表示が選択された場合には、補助フレームを表す画像データが内蔵メモリ４８から画像信号処理回路５０に読み出され、被写体の画像データと合成される。この合成画像は、ＬＣＤドライバ４７を介してＬＣＤ１３に表示される（図９参照）。
【００２２】
図４に、風景バックの人物撮影を行う際に用いる補助フレーム６０ａを、ＬＣＤ１３に表示した状態を示す。補助フレーム６０ａは、通常の撮影範囲を２／３程度に縮小したものである。この補助フレーム６０ａの中心に人物が来るように撮影することにより、背景に比べて人物が小さく撮影されてしまうことを防止することができる。なお、ＬＣＤ１３には、風景バックの人物撮影モードであることを示すアイコン６１が表示される。
【００２３】
図５に、縦撮りでポートレート撮影を行う際に用いる補助フレーム６０ｂ〜６０ｄを、ＬＣＤ１３に表示した状態を示す。補助フレーム６０ｂは、顔のアップを撮影する場合に好適なもので、通常の撮影範囲を水平方向に２／３、垂直方向に３／４縮小したものである。補助フレーム６０ｃは、バストショットを撮影する場合に好適なもので、通常の撮影範囲を水平方向に１／３、垂直方向に３／８縮小したものである。補助フレーム６０ｄは、ニーショットを撮影する場合に好適なもので、通常の撮影範囲を水平方向、垂直方向にそれぞれ１／４縮小したものである。なお、ＬＣＤ１３には、ポートレート撮影モードであることを示すアイコン６２が表示される。
【００２４】
ここで、電子ビューファインダを構成するＬＣＤ１３上、および撮影画像上の座標を、図６および図７のように定義する。図６において、ＬＣＤ１３上では、原点を撮影範囲Ｅの左上にとり、原点から右にＸ軸、下にＹ軸をとる。座標上の値は撮影範囲を１として正規化して表す。そして、補助フレームの範囲Ｅa の中心の座標を（ｘ、ｙ）、幅をｗ、高さをｈとする（但し、０≦ｘ、ｙ、ｗ、ｈ≦１）。
【００２５】
図７において、撮影画像上では、ＬＣＤ１３上の場合と同様に、原点を撮影範囲Ｅの左上にとり、原点から右にＸ軸、下にＹ軸をとる。座標上の値は画素数で表す（撮影画像のＸＹ方向の画素数をそれぞれＸ0 、Ｙ0 とすると、撮影範囲Ｅの右下のＰ点の座標は（Ｘ0 −１、Ｙ0 −１）で表される）。そして、補助フレームの範囲Ｅa の中心の座標を（Ｘ、Ｙ）、幅をＷ、高さをＨとする（但し、０≦Ｘ≦Ｘ0 、０≦Ｙ≦Ｙ0 、１≦Ｗ≦Ｘ0 、１≦Ｈ≦Ｙ0 ）。したがって、Ｘ、Ｙ、Ｗ、Ｈは次式から算出される。
Ｘ＝Ｘ0 ×ｘ
Ｙ＝Ｙ0 ×ｙ
Ｗ＝Ｘ0 ×ｗ
Ｈ＝Ｙ0 ×ｈ
【００２６】
ＣＰＵ３３では、上記式を用い、表１に示すデータテーブル、および表２に示すデジタルカメラ２で選択可能な記録画素数を参照して主要被写体位置を算出する。この算出は、選択した撮影モードに応じて自動的に行われる。図８に示すように、ＣＰＵ３３により算出された主要被写体位置の情報（中心座標、幅、高さ、撮影方法など）は、撮影した画像データ（主画像、サムネイル画像）、およびこの画像データに関するタグ情報（撮影日時、撮影モード、ホワイトバランス、フォーカスなど）を含む画像ファイルに付加され、メモリカード１８に記録される。
【００２７】
【表１】
2004193977.tif 000003
【００２８】
【表２】
2004193977.tif 000004
【００２９】
図９に示すように、デジタルカメラ２では、ＬＣＤ１３に補助フレームを表示した場合、主要被写体位置の中心を不動点として撮影範囲のズーミングを行う。
このようにすると、主要被写体が常に補助フレーム内に表示されるので、操作性を向上させることができる。
【００３０】
なお、上記実施形態では、補助フレーム６０ａ〜６０ｄの４種類を例として挙げたが、例えば表３に示すような円形の補助フレーム６０ｅを用いてもよい。この場合は、図１０に示すように、画像ファイルのタグ情報に付加する主要被写体位置の情報として、幅Ｗ、高さＨの代わりに円の半径ｒを追記する。また、台形や階段形状の補助フレームを適宜追加してもよい。但し、このような特殊形状を有する補助フレームを用いた場合は、補助フレームに外接する長方形を主要被写体位置の情報として利用する。
【００３１】
【表３】
2004193977.tif 000005
【００３２】
【発明の効果】
以上のように、本発明のデジタルカメラによれば、算出された主要被写体位置の情報と、撮影した画像データ、およびこの画像データに関する情報を含む画像ファイルとを関連付けて記録する記憶手段を備えたので、主要被写体位置の情報を有効に活用することができる。
【００３３】
また、算出された主要被写体位置を不動点としてズーミングを行うズーム機能を備えたので、操作性を向上させることができる。
【図面の簡単な説明】
【図１】本発明を実施したデジタルカメラの正面概観斜視図である。
【図２】デジタルカメラの背面概観斜視図である。
【図３】デジタルカメラの電気的構成を示すブロック図である。
【図４】風景バックの人物撮影を行う際に用いる補助フレームをＬＣＤに表示した状態を示す図である。
【図５】縦撮りでポートレート撮影を行う際に用いる補助フレームをＬＣＤに表示した状態を示す図である。
【図６】ＬＣＤ上での座標を示す図である。
【図７】撮影画像上での座標を示す図である。
【図８】画像ファイルの構造を示す図である。
【図９】補助フレームを用いてズーミングを行った際の画像の変化を示す図である。
【図１０】円形の補助フレームを用いて撮影を行った場合の画像ファイルの構造を示す図である。
【符号の説明】
２  デジタルカメラ
１１  撮像レンズ
１３  液晶表示装置（ＬＣＤ）
１６  レリーズボタン
１８  メモリカード
２３  操作部
３３  ＣＰＵ
４０  ＣＣＤ
４８  内蔵メモリ
６０ａ〜６０ｅ  補助フレーム
【図１】
2004193977.tif 000006
【図２】
2004193977.tif 000007
【図３】
2004193977.tif 000008
【図４】
2004193977.tif 000009
【図５】
2004193977.tif 000010
【図６】
2004193977.tif 000011
【図７】
2004193977.tif 000012
【図８】
2004193977.tif 000013
【図９】
2004193977.tif 000014
【図１０】
2004193977.tif 000015